(57)【特許請求の範囲】
【請求項１】
玄関土間から立設した立上り部の上部に玄関床面の玄関土間側前端部に水平配置した上がり框を位置させ、上がり框の下部に少なくとも玄関土間側である前面に開口した切欠部を形成し、上記切欠部に少なくとも前面に開口した収納ボックスを固着させて収納部を形成し、上記収納部にコントローラと照明部とで構成した照明装置を配置し、下方にいく程奥方に位置するような傾斜部が形成されたカバーを上記収納部の開口を閉塞するように装着し、上記切欠部の上端部分における前端部分に収納ボックスの上部における前端部分を臨ませ、カバーの上端部に上方に突出すると共にカバーの水平方向に亘る被覆突起片を設け、上記切欠部の上端部における前端部分と収納ボックスの上部における前端部分とに上記被覆突起片の裏面を当接し、上記カバーを、コントローラを覆うコントローラカバーと、照明部を覆う照明カバーと、照明部の長手方向の端部のうちのコントローラに隣接しない方の端部に設けるダミーとしてのコントロールカバーとで構成したことを特徴とする玄関足元照明装置。
【請求項２】
照明カバーの傾斜部を光が透過する透光材で形成させたことを特徴とする請求項１に記載の玄関足元照明装置。
【請求項３】
収納ボックスにカバーを係脱自在に装着したことを特徴とする請求項１に記載の玄関足元照明装置。
【発明の詳細な説明】
【０００１】
【発明の属する技術分野】
本発明は、玄関の上がり框に照明装置を配置してなる玄関足元照明装置に関する発明である。
【０００２】
【従来の技術】
従来から、玄関土間１を照射する玄関足元照明装置においては、図７に示すように、玄関壁面４０に配設した照明装置８'により玄関土間１を照射するものがあった。このような玄関足元照明装置においては、玄関壁面４０に配設した照明装置８'が意匠的に玄関足元照明装置が玄関施工の後に後付けされたものであることを連想させるようなものであり、消費者に玄関足元照明装置を玄関に取り付けることへの魅力を与えるものではなく、また、玄関壁面４０に配設した照明装置８'では玄関土間１の足元部分のみを照射することができないものであった。
【０００３】
【発明が解決しようとする課題】
そこで、玄関床面３の玄関土間側先端部に設けた上がり框４の下部に照明装置を配置して構成した玄関足元照明装置が提案されるに至った。この玄関足元照明装置においては上がり框４の下部に設けた照明装置が上がり框４の下方位置の玄関土間１の足元部分を照射することができるものとして有効なものであるが、玄関土間側からは照明装置が見えてしまって、依然として玄関の外観意匠性の向上という問題は解決されずに残されたものであり、玄関足元照明装置の外観意匠性の向上が切望されるものであった。
【０００４】
本発明は上記の点に鑑みてなされたものであり、玄関の上がり框に配置した照明装置からなる玄関足元照明装置において、その外観意匠性を向上させた玄関足元照明装置を提供することを課題とするものである。
【０００５】
【課題を解決するための手段】
上記課題を解決するために本発明の請求項１に係る玄関足元照明装置にあっては、玄関土間１から立設した立上り部２の上部に玄関床面３の玄関土間側前端部に水平配置した上がり框４を位置させ、上がり框４の下部に少なくとも玄関土間側である前面に開口した切欠部１４を形成し、上記切欠部１４に少なくとも前面に開口した収納ボックス１５を固着させて収納部５を形成し、上記収納部５にコントローラ２０と照明部２１とで構成した照明装置８を配置し、下方にいく程奥方に位置するような傾斜部７が形成されたカバー６を上記収納部５の開口を閉塞するように装着し、上記切欠部１４の上端部分における前端部分に収納ボックス１５の上部における前端部分を臨ませ、カバー６の上端部に上方に突出すると共にカバー６の水平方向に亘る被覆突起片９を設け、上記切欠部１４の上端部における前端部分と収納ボックス１５の上部における前端部分とに上記被覆突起片９の裏面を当接し、上記カバー６を、コントローラ２０を覆うコントローラカバー６ａと、照明部２１を覆う照明カバー６ｂと、照明部２１の長手方向の端部のうちのコントローラ２０に隣接しない方の端部に設けるダミーとしてのコントロールカバー６ｃとで構成したことを特徴とする。
【０００６】
これにより、玄関土間１から立設した立上り部２の上部に玄関床面３の玄関土間側前端部に水平配置した上がり框４を位置させ、上がり框４の下部に少なくとも玄関土間側である前面に開口した切欠部１４を形成し、上記切欠部１４に少なくとも前面に開口した収納ボックス１５を固着させて収納部５を形成し、上記収納部５にコントローラ２０と照明部２１とで構成した照明装置８を配置し、下方にいく程奥方に位置するような傾斜部７が形成されたカバー６を収納部５の開口を閉塞するように装着したので、上記玄関土間１に立つ人から上記カバー６を見えにくいものとすることができ、更に、玄関土間１に立つ人の見下ろし角度（玄関土間１に対する視線の角度β）よりも傾斜部７の傾斜角度（玄関土間１に対する傾斜の角度α）を浅い角度にさせると、上記玄関土間１に立つ人の視界から上記カバー６の傾斜部７を見えなくさせることができるものであって、玄関土間１に立つ人には上記玄関において照明装置８の存在を感じさせにくいものとすることができ、玄関の外観及びその意匠性を向上させ得るものである。また、切欠部１４の上端部分における前端部分に収納ボックス１５の上部における前端部分を臨ませ、カバー６の上端部に上方に突出すると共にカバー６の水平方向に亘る被覆突起片９を設け、上記切欠部１４の上端部における前端部分と収納ボックス１５の上部における前端部分とに上記被覆突起片９の裏面を当接したので、切欠部１４の上端部における前端部分と収納ボックス１５の上部における前端部分は、カバー６の上端に亘って設けられる被覆突起片９の裏面に当接して位置するものであって、ここで、切欠部１４の上端部における前端部分とは上がり框４の前面の一部分であることから、カバー６はその被覆突起片９が上がり框４の前面に隙間無く沿うものであり、玄関土間１に立つ人から収納ボックス１５や上がり框４の切断面である切欠部１４を完全に見えなくさせることができて玄関の外観及びその意匠性を向上させることができると共に、施工的にも収納ボックス１５の切欠部１４への納まりを良くできるものである。また、上記カバー６を、コントローラ２０を覆うコントローラカバー６ａと、照明部２１を覆う照明カバー６ｂと、照明部２１の長手方向の端部のうちのコントローラ２０に隣接しない方の端部に設けるダミーとしてのコントロールカバー６ｃとで構成したので、玄関土間１から上記上がり框４を見た際に、上記上がり框４の下部に設けた玄関足元照明装置の正面外観を左右対称にするものであって外観の向上が図られているものである。
【０００７】
また、本発明の請求項２に係る玄関足元照明装置にあっては、請求項１において、照明カバー６ｂの傾斜部７を光が透過する透光材で形成させたことを特徴とする。これにより、照明装置８の照明部２１での照明光を照明カバー６ｂの傾斜部７を通じて外方に照射することができ、ここで、傾斜部７は玄関土間１に向って面をなす部分であることから、玄関土間１のうちの立上り部２の近傍位置に上記照明光を集中的に照射させることができるものである。
【０００８】
また、本発明の請求項３に係る玄関足元照明装置にあっては、請求項１において、上記収納ボックス１５にカバー６を係脱自在に装着したことを特徴とする。これにより、収納部５に装着する照明装置８は、実質的には、収納ボックス１５の内部に装着されるものであるが、上記収納ボックス１５の前面の開口を閉塞するカバー６を収納ボックス１５に対して係脱自在にしたことで、上記カバー６を収納ボックス１５に対して容易に着脱自在にするものであって、例えば、照明装置８の上がり框４への配置施工や照明装置８のメンテナンスや照明装置８の交換等を容易に行わせることができるものである。
【０００９】
【発明の実施の形態】
以下、本発明を添付図面に示す実施形態に基づいて説明する。
【００１０】
図１乃至図６に本発明の実施の形態の例を示す。この玄関構造は、図１に示すように、玄関に敷設した玄関土間１に床面土台１１を配置し、上記床面土台１１の玄関土間側である前面にタイル１２を貼着して立上り部２を立設し、玄関床面３の玄関土間側前端部に上がり框４を設け、上記立上り部２の上部に上記上がり框４を玄関土間側に突出するように位置させ、上記上がり框４にはその下部に前面に開口する収納部５を設け、上記収納部５に立上り部近傍位置の玄関土間１を照射する照明装置８を装着し、上記収納部５の前面に上記収納部５の開口を閉塞するカバー６が着脱自在に装着した構成を有しているものである。なお、玄関床面３の下方位置にはＶＦＦケーブル等からなる電源線１３が配線されると共に上記電源線１３の先端は照明装置８に連結しているものである。
【００１１】
ここで、上記収納部５は、上がり框４の下部に下面及び前面に開口する切欠部１４を形成し、上記切欠部１４に前面に開口する収納ボックス１５を配設して形成されるものである。この収納ボックス１５はＡＢＳ（アクリロニトリル・ブタジエン・スチレン）樹脂で成形し、上記切欠部１４の上面及び裏面に接着剤を介在させて固着させている。つまり、照明装置８は収納ボックス１５の内部に装着されるものである。収納ボックス１５の内壁面には係止部１６が設けられており、上記収納ボックス１５に前面から挿入した照明装置８を係合させて着脱自在に装着させている。また、収納ボックス１５はその上部と下部との前方への突出長さを違えて、つまり、収納ボックス１５の上部をその下部に比べて前方へ突出させて形成しているものである。そして、上記切欠部１４の上端部分における前端部分に収納ボックス１５の上部における前端部分を臨ませているものである。このように、照明装置８を装着する上がり框４の収納部５を収納ボックス１５で形成し、上記照明装置８を収納ボックス１５内部に着脱自在に装着したことにより、収納部５から照明装置８を容易に取り外してメンテナンスや交換等を行い得ることを確保しているものである。つまり、立上り部２の上端に位置した切欠部１４に直に照明装置８を装着した場合においては、後述する立上り部２の施工において行われる床面土台１１への接着剤を介してのタイル１２の貼着の際に上記接着剤が誤ってタイル１２と照明装置８とを接着してしまって、照明装置８が略恒久的に上がり框４から外れなくなるといったことが生じてしまう場合があるが、本例ではこのような事態を避けることができるものである。また、電気的観点から見ても、上述したように収納ボックス１５内部に照明装置８を装着したことで、電気が通る照明装置８が直接上がり框４等の木質部に触れさせることを避けることができて安全性を向上させることができる。
【００１２】
また、収納部５の玄関土間側の前面の開口には上記開口を閉塞するカバー６を着脱自在に装着するものであるが、実質的には、収納部５を形成する収納ボックス１５の前面に着脱自在に装着するものである。カバー６は、収納ボックス１５の前面の開口を閉塞するカバー本体１７と、収納ボックス１５の内壁面のうち上壁面及び下壁面に設けた係止凹部１９に係合するカバー本体１７の裏面から奥方に突出した一対の係合片１８とで構成されている。このように、上記収納ボックス１５の前面の開口を閉塞するカバー６を収納ボックス１５に対して係脱自在にしたことで、上記カバー６を収納ボックス１５に対して容易に着脱自在にするものであって、例えば、照明装置８の上がり框４への配置施工や照明装置８のメンテナンスや照明装置８の交換等を容易に行い得るようにしている。
【００１３】
なお、このカバー本体１７の上端部には上方に突出すると共にカバー６の水平方向に亘って被覆突起片９を設けている。そして、このカバー６はその係合片１８と収納ボックス１５の係止凹部１９との係合により収納ボックス１５の前面に装着されるが、このとき、被覆突起片９はその裏面において上記切欠部１４の上端部における前端部分と収納ボックス１５の上部における前端部分とに当接されるものである。ここで、切欠部１４の上端部における前端部分とは上がり框４の前面の一部分であることから、カバー６はその被覆突起片９が上がり框４の前面に隙間無く沿うものであり、玄関土間１に立つ人から収納ボックス１５や上がり框４の切断面である切欠部１４を完全に見えなくさせることができるものであり、玄関の外観及びその意匠性を向上させるものであり、また、施工的にも収納ボックス１５の切欠部１４への納まりを良くしているものである。
【００１４】
また、このカバー６の下部には、つまり、カバー本体１７の下部には下方にいく程玄関土間側前方と反対方向である奥方に位置するような傾斜部７を形成しているものである。この傾斜部７は玄関土間１に立つ人の視界から上記カバー６をより見えなくさせることを図って設けられているものであって、その上端位置をなるべくカバー６の上方位置に位置させると共にその傾斜角度（玄関土間１に対する角度α）を浅い角度に設定することが好ましいものである。つまり、玄関土間１に立つ人の見下ろし角度（玄関土間１に対する視線の角度β）よりも傾斜部７の傾斜角度（玄関土間１に対する傾斜の角度α）を浅い角度にさせると、上記玄関土間１に立つ人の視界から上記カバー６の傾斜部７を見えなくさせることができるものであって、玄関土間１に立つ人には上記玄関において照明装置８の存在を感じさせにくくすることができることから、玄関の外観及びその意匠性の向上が図られるものである。なお、このカバー６の傾斜部７はその所定部分を光が透過する光透過材、例えばポリカーボネード等、で形成するものであるが、これは後述するものとする。
【００１５】
また、照明装置８は上がり框４の玄関幅方向である長手方向に沿って設けられるものであって、本例では、図４及び図５に示すように、照明部２１とコントローラ２０とを隣接配置して形成したものを用いている。これは、照明装置８が故障等した際に照明部２１及びコントローラ２０を別個に取り替え得ることを図っているものである。ここで、上記照明部２１は照明装置８のうちの大部分を構成するもので玄関土間１を照らす照明部分であり、また、上記コントローラ２０は照明装置８のうちの一部分を構成するもので上記照明部２１の制御を行う部分である。コントローラ２０は照明部２１に比べてその構成部品の多さとその配置面積から結果的に照明部２１よりも奥行き寸法の大きな設置部分を必要とするものである。しかして、照明装置８を収納する収納部５は、コントローラ２０を収納するコントローラ収納部５ａ及び照明部２１を収納する照明部収納部５ｂを有するものであり、上がり框４の切欠部１４も収納ボックス１５も同様にコントローラ２０を配置する大切欠部１４ａ及び照明部２１を配置する小切欠部１４ｂ、また、コントローラ収納部５ａを形成するコントローラ収納ボックス１５ａ及び照明部収納部５ｂを形成する照明部収納ボックス１５ｂを備えるものである。なお、照明部２１とコントローラ２０とは隣接配置されるものであることから大切欠部１４ａと小切欠部１４ｂとは連続して形成されている。
【００１６】
このコントローラ２０は、図３に示すようにユニット化されたものであって、コントローラ収納部５ａに収納される、つまり、コントローラ収納ボックス１５ａ内部に収納されるものである。このコントローラ２０は、難燃性のＡＢＳ樹脂によって成形した略矩形函状体のハウジング２３を有し、前面に明るさセンサ２４を設けると共に裏面に電源線１３の先端が連結する速結端子部２５を設けているものである。なお、上記ハウジング２３は、その前面以外の側面（両側面、裏面）においてその上下端部位置にそれぞれ外側方向に突出したつば片２３ｂをフランジ状に形成させており、その上下面にコントローラ収納ボックス１５ａに設けた係止部１６に係止される被係止部４１を形成させており、また、前面の下部においては、カバー６の傾斜部７に合わせた傾斜２３ａが形成されているものである。また、コントローラ２０の裏面からは照明部２１への配電を行う配電線２６が延出すると共に上記配電線２６の先端にはコネクタ２７が設けられている。
【００１７】
一方、照明部２１は、図５（ｂ）に示すように、照明部収納部５ｂに装着される、つまり、照明部収納ボックス１５ｂ内部に装着される取付台座２９と上記取付台座２９に配置した照明光を発する複数の照明器具２８から構成されるものである。取付台座２９は凹溝状の被係止部４１を有すると共に照明部２１の長手方向に亘るように形成した台座であり、照明部収納ボックス１５ｂの最奥部上部に設けた係合部１６と上記被係止部４１が係合して上がり框４の玄関幅方向である長手方向に亘って架設されるものである。上記照明器具２８は、光源としてＬＥＤ３０を用い、上記ＬＥＤ３０を基板３１の前面に固定して形成したものである。この照明器具２８を取付台座２９に取り付けた際には基板３１の前面が玄関土間１に向って面をなすものである。上記照明器具２８は複数個用意されるものであって、上記取付台座２９の長手方向に等間隔に配置されるものである。なお、上記照明部２１にはコントローラ２０を介して給電が行われるが、これは、照明器具２８に連結した配電線３２の先端に設けたコネクタ３４と上記コントローラ２０に連結した配電線２６のコネクタ２７とをコネクタ接続させて行われるものである。
【００１８】
コントローラ２０を収納するコントローラ収納ボックス１５ａは前面を開口した略矩形状のボックス体に形成されたものである。このコントローラ収納ボックス１５ａの背面部には玄関床面３の下方位置に配線した電源線１３をコントローラ２０の速結端子部２５に連結させる挿通させるボックス貫通孔３８ａが形成されている。なお、玄関床面３の下方位置（電源線配線部４２）に配線した電源線１３は、上がり框４の下方に設けた貫通孔３８を通ると共に上記ボックス貫通孔３８ａを通ってコントローラ２０の速結端子部２５に連結されるものである。また、コントローラ収納ボックス１５ａの照明部２１に隣接する側面部には照明部２１に向って配電線２６，３２を挿通させ得る挿通孔３５が形成されている。ここで、このコントローラ収納ボックス１５ａにコントローラ２０を装着した際には、図６及び図４に示すように、コントローラ２０のハウジング２３に形成したつば片２３ｂがコントローラ２０とコントローラ収納ボックス１５ａの内面との間に隙間空間１０を形成するものである。この隙間空間１０には、後述するが電源線１３の照明装置８への連結施工作業の際に生じる電源線１３の余長部分や配電線２６，３２やそのコネクタ２７，３４が収納されるものである。また、上記つば片２３ｂにはコントローラ２０をコントローラ収納ボックス１５ａの内部の所定位置に一意的に配置させる利点もあるものであり、これは後述するコントローラ収納ボックス１５ａに取り付けられるコントローラカバー６ａに設けた採光窓３９に対してコントローラ２０の明るさセンサ２４を合わせて配置する際に有用である。
【００１９】
照明部２１を装着する照明部収納ボックス１５ｂは前面及び両側端を開口し、上がり框４の玄関幅方向に長手方向を有した柱状体に形成されたものである。したがって、コストを考慮して押出成形材で形成されることが好ましい。また、この照明部収納ボックス１５ｂにはその長手方向に亘って配電線３２を収納する凹溝片３３を形成している。
【００２０】
上述したように、本例では、照明装置８をコントローラ２０と照明部２１とで構成し、その収納部５もコントローラ収納部５ａと照明部収納部５ｂとを有して構成しているものであるが、収納部５の前面に装着するカバー６もコントローラ２０の前面を被覆するコントローラカバー６ａと照明部２１の前面を被覆する照明部カバー６ｂとで構成させている。コントローラカバー６ａはその前面、つまり、カバー本体１７に、採光窓３９を設けてあり、コントローラ２０に設けた明るさセンサ２４への採光を行い得るようにしているものである。これにより、本例では、上記明るさセンサ２４が前面に設けられているので、例えば、上がり框４の下面に明るさセンサ２４を設けた場合の薄暗く検知されてしまうといった誤検知を避けることができるものであって、上記上がり框４の下面に明るさセンサ２４を設けた場合と比較して玄関空間を正確に検知させることができるものである。そして、照明装置８の照明部２１の制御を玄関空間の状態に合わせて行うことができるものである。また、照明部カバー６ｂはその傾斜部７を光が透過する光透過材、例えば、ポリカーボネードで形成させている。これにより、照明装置８の照明器具２８が発する照明光を傾斜部７を通じて照明装置８及びカバー６の外方に照射することができ、ここで、傾斜部７は玄関土間１に向って面をなす部分であることから、玄関土間１のうちの立上り部２の近傍位置に上記照明光を集中的に照射させることができるものである。また、上述したように照明部２１では照明装置２８が玄関土間１に向って面をなすように取付台座２９に取り付けられており、上記照明装置２８と上記照明部カバー６ｂの傾斜部７は対向位置にあるものであって、上記傾斜部７には照明器具２８から比較的強い照明光が照射されているものであり、上記傾斜部７を光透過材で形成することで上記照明器具２８からの比較的強い照明光を玄関土間１に照射できるといった利点もあるものである。
【００２１】
また、本例においては、図４（ｂ）に示すように、照明装置８の外観を左右対称に見せることを期して、照明部２１の長手方向の端部のうちのコントローラ２０に隣接しない方の端部にはダミーとしてのコントローラカバー６ｃを装着している。これにより、玄関土間１から上記上がり框４を見た際に、上記上がり框４の下部に設けた玄関足元照明装置の正面外観を左右対称にするものであって外観の向上が図られているものである。
【００２２】
また、本例においては、上がり框４の大切欠部１４ａの奥方（つまり、玄関床面３の下方位置）に電源線配線部４２を設けてある。この電源線配線部４２は、玄関床面３の下方位置に配線する電源線１３の配線スペースである。
【００２３】
以下、上述した玄関足元照明装置の施工作業を簡単に記す。玄関土間１に床面土台１１を配置し、上記床面土台１１の上面に上記上がり框４及び玄関床面３を配置し、上記床面土台１１の前面にタイル１２を接着剤等で貼着して立上り部２を形成させる。このとき、上記上がり框４は工場出荷段階で収納部５に照明装置８を装着すると共にカバー６を装着したものが用いられるものであるが、この施工段階で照明装置８のコントローラ２０及びコントローラカバー６ａを収納部５から取り外しておく。次に、玄関床面３の下方位置に電源線１３を配線し、上記電源線１３の先端を収納部５の貫通孔３８に挿通させて収納部５に導入し、上記収納部５に導入した電源線１３を掴んでその先端を玄関土間側前面に引張り出し、上記電源線１３の先端を照明装置８のコントローラ２０の速結端子部２５に連結する。そして、上記電源線１３と連結させて電気が供給されるようにした照明装置８を上がり框４の収納部５に再び挿入して装着し、カバー６を収納部５の前面に装着するものである。ここで、電源線１３の照明装置８への連結施工作業においては、収納部５が前面に開口していることから収納部５に導入された電源線１３を玄関土間１から目視確認できるものであり、施工作業者は容易に電源線１３を掴んで前方に引張り出すことができるものである。
【００２４】
【発明の効果】
上記のように本発明の請求項１記載の玄関足元照明装置にあっては、玄関土間から立設した立上り部の上部に玄関床面の玄関土間側前端部に水平配置した上がり框を位置させ、上がり框の下部に少なくとも玄関土間側である前面に開口した切欠部を形成し、上記切欠部に少なくとも前面に開口した収納ボックスを固着させて収納部を形成し、上記収納部にコントローラと照明部とで構成した照明装置を配置し、下方にいく程奥方に位置するような傾斜部が形成されたカバーを上記収納部の開口を閉塞するように装着したので、上記玄関土間に立つ人から上記カバーを見えにくいものとすることができ、更に、玄関土間に立つ人の見下ろし角度（玄関土間に対する視線の角度）よりも傾斜部の傾斜角度（玄関土間に対する傾斜の角度）を浅い角度にさせると、上記玄関土間に立つ人の視界から上記カバーを見えなくさせることができるものであって、玄関土間に立つ人には上記玄関において玄関足元照明装置の存在を感じさせにくくすることができ、玄関の外観及びその意匠性を向上させることができるのであり、また、切欠部の上端部分における前端部分に収納ボックスの上部における前端部分を臨ませ、カバーの上端部に上方に突出すると共にカバーの水平方向に亘る被覆突起片を設け、上記切欠部の上端部における前端部分と収納ボックスの上部における前端部分とに上記被覆突起片の裏面を当接したので、切欠部の上端部における前端部分と収納ボックスの上部における前端部分は、カバーの上端に亘って設けられる被覆突起片の裏面に当接して位置するものであって、ここで、切欠部の上端部における前端部分とは上がり框の前面の一部分であることから、カバーはその被覆突起片が上がり框の前面に隙間無く沿うものであり、玄関土間に立つ人から収納ボックス１５や上がり框の切断面である切欠部を完全に見えなくさせることができて玄関の外観及びその意匠性を向上させることができると共に、施工的にも収納ボックスの切欠部への納まりを良くできるものであり、また、上記カバーを、コントローラを覆うコントローラカバーと、照明部を覆う照明カバーと、照明部の長手方向の端部のうちのコントローラに隣接しない方の端部に設けるダミーとしてのコントロールカバーとで構成したので、玄関土間から上記上がり框を見た際に、上記上がり框の下部に設けた玄関足元照明装置の正面外観を左右対称にするものであって外観の向上を図ることができるのである。
【００２５】
また、本発明の請求項２記載の玄関足元照明装置にあっては、請求項１の効果に加えて、照明カバーの傾斜部を光が透過する透光材で形成させたので、照明装置の照明部での照明光を照明カバーの傾斜部を通じて外方に照射することができ、ここで、傾斜部は玄関土間に向って面をなす部分であることから、玄関土間のうちの立上り部の近傍位置に上記照明光を集中的に照射させることができるものである。
【００２６】
また、本発明の請求項３記載の玄関足元照明装置にあっては、請求項１の効果に加えて、上記収納ボックスにカバーを係脱自在に装着したので、収納部に装着する照明装置は、実質的には、収納ボックスの内部に装着されるものであるが、上記収納ボックスの前面の開口を閉塞するカバーを収納ボックスに対して係脱自在にしたことで、上記カバーを収納ボックスに対して容易に着脱自在にするものであって、例えば、照明装置の上がり框への配置施工や照明装置のメンテナンスや照明装置の交換等を容易に行わせることができるものである。
【図面の簡単な説明】
【図１】本発明の実施の形態の例を示す側面断面図である。
【図２】同上の斜視図である。
【図３】同上の照明装置の収納部への収納施工作業を示す概略斜視図である。
【図４】同上の玄関足元照明装置を示すものであり、（ａ）は上面図であり、（ｂ）は正面図である。
【図５】（ａ）は図４のＡ−Ａ線断面図であり、（ｂ）は図４のＢ−Ｂ線断面図である。
【図６】図１のＣ部分の拡大図である。
【図７】従来技術の例を示す斜視図である。
【符号の説明】
１ 玄関土間
２ 立上り部
３ 玄関床面
４ 上がり框
５ 収納部
６ カバー
７ 傾斜部
８ 照明装置
９ 被覆突起片
１４ 切欠部
１４ａ 大切欠部
１５ 収納ボックス
１５ａ コントローラ収納ボックス
１８ 係合片
１９ 係合凹部
２０ コントローラ
【図１】
0003674546.tif 000002
【図２】
0003674546.tif 000003
【図３】
0003674546.tif 000004
【図４】
0003674546.tif 000005
【図５】
0003674546.tif 000006
【図６】
0003674546.tif 000007
【図７】
0003674546.tif 000008